(57)【要約】      （修正有）【課題】振動吸収双効果を備える靴ヒールを提供する。【解決手段】振動吸収双効果を備える靴ヒールは、靴ヒール及びトップリフトを組み合わせてなり、その内、トップリフト２には硬質支持部２１と硬質支持部の外側を包覆する軟質振動吸収部２２とを射出成形金型を用いて一体成形して一つに結合したものであり、挟まれた中心に位置する硬質支持部の上下は何れも一層の硬質支持部によって包覆する。この構造とすることで、軟質のものと硬質のものをひとつずつ交替に組み合わせた配置となり、靴ヒールには二振動吸収の緩衝効果が生まれ、使用者の歩く動作或いは立つ動作に必要な快適感を高めることができる。【選択図】図１
0003174597.tif 000002
【実用新案登録請求の範囲】
【請求項１】
底部に予め少なくとも一つの結合孔を設ける靴ヒールと、
硬質支持部と、硬質支持部の外側を包覆する軟質振動吸収部とを含み、二者を射出成形金型を用いて一体成形することにより、硬質支持部を軟質振動吸収部で包覆するトップリフトと、により構成される振動吸収双効果を備える靴ヒール。
【請求項２】
前記硬質支持部は靴ヒールの底部の結合孔と同じ数量の軸足を備えることを特徴とする請求項１に記載の振動吸収双効果を備える靴ヒール。
【請求項３】
前記軟質振動吸収部は強化構造であり、それと靴ヒールを結合した後の空間内に予め若干の軸状の補強部を設置することを特徴とする請求項１に記載の振動吸収双効果を備える靴ヒール。
【考案の詳細な説明】
【技術分野】
【０００１】
本考案は、靴に関し、特に振動吸収双効果を備える靴ヒールに係る。
【背景技術】
【０００２】
周知の通り、足底は身体の重量を積載するためにあるため、足底（特に踵付近）にあるクッションの働きをする脂肪によって重量は支えられている。一般に走る、跳ぶ等の活動では、軟部組織等の構造が身体の活動時に受ける振動力及び地面からの反作用力を分散、除去している。
【０００３】
足の踵付近の痛みの原因は、殆どが長期的に足底に力を受けたことに関連し、例えば、長時間立つ、歩く、走る、跳ぶ等により足底が過度の負担を受けて引き起こされる足底の軟部組織の慢性磨耗及び炎症が起因する。特に、重い荷物を持って歩く、山登り、ランニング等により、踵骨下方の地面に接触する箇所の脂肪が慢性的に磨耗して炎症、水ぶくれ、変性を引き起こし、続いて相隣するその他の軟部組織の損傷及び炎症反応が出現する。
【０００４】
足の踵部に受ける圧力を和らげるために、特許文献１の振動吸収体及び耐磨耗トップリフトの靴ヒールを提供している。その内、靴ヒール底面には貫通孔を内設する収納溝を設け、振動吸収体には結合部を突設し、該結合部を収納溝内に嵌入し、振動吸収体を靴ヒール底面に連結する。また、振動吸収体にはさらに結合孔を設け、該結合孔と貫通孔とが貫通する通路を形成する。耐磨耗トップリフトには耐磨耗クッション及び結合釘を備え、該結合釘を結合孔及び貫通孔内に嵌入して、耐磨耗クッションを振動吸収体の底面に連結する。振動吸収体には振動を緩衝し吸収する特性を備え、耐磨耗効果を備える耐磨耗トップリフトにより、靴ヒールは耐磨耗性及び振動の緩衝吸収効果を兼ね備えたものとなる。
【０００５】
その内、振動吸収体及び耐磨耗クッションはポリウレタン弾性繊維（PU）製とする。ポリウレタン弾性繊維原料の調合、発泡密度、発泡量をコントロールし成形した後、振動吸収体の硬度は耐磨耗クッションの硬度より小さく、振動の緩衝吸収特性を備える振動吸収体と、好ましい耐磨耗効果を備えた耐磨耗クッションを形成する。
【０００６】
前述の振動吸収体と耐磨耗クッションは二つの独立した部材であり、耐磨耗クッション上の結合釘を振動吸収体に予め設置した結合孔に通し、靴ヒール底面の収納溝の貫通孔内に装着する。ここで予測されるのは、振動吸収体と耐磨耗クッション間の結合関係には、長時間使用すると偏移して位置ずれが生じる可能性も非常に高く、特に、耐磨耗クッションが直接地面に接触する場合は、各人の歩き方の習慣が内股、外股等様々であるため、部分的磨耗状況にも異なりがみられ、さらに振動吸収体と耐磨耗クッションの二者間の位置ずれも容易に発生することである。
【０００７】
また、耐磨耗クッションの硬度は振動吸収体より高く、耐磨耗クッションは長時間直接地面と接触する。よって、迅速強制的方法の結果は、振動の緩衝吸収効果を大幅に下げるものとなる。
【先行技術文献】
【特許文献】
【０００８】
【特許文献１】中華民国実用新案第Ｍ３８３９４１号明細書
【考案の概要】
【考案が解決しようとする課題】
【０００９】
そこで、靴類専門製造業者である本考案の出願人は、市場の要望に応じて力を結集して開発に努め振動吸収双効果を備える靴ヒールを生み出した。
【００１０】
本考案は、変形し難い支持作用と二層の緩衝効果を備えるとともに、使用者の歩行における快適感をさらに高めることができる振動吸収双効果を備える靴ヒールを提供することを目的とする。
【課題を解決するための手段】
【００１１】
本考案の提供する振動吸収双効果を備える靴ヒールは、主に靴ヒール及びトップリフトの二者を構成することによりなり、その内、トップリフトには硬質支持部と硬質支持部の外側を包覆する軟質振動吸収部を射出成形金型を用いて一体成形して一つに結合したものである。挟まれた中心に位置する硬質支持部の上下は何れも一層の硬質支持部によって包覆され、軟質のものと硬質のものをひとつずつ交替に組み合わせるため、靴ヒールには二振動吸収の緩衝効果が生まれ、使用者の歩行時の動きに対する要求を満たし、歩く動作或いは立つ動作に必要な快適感を大幅に高めることができる。
【考案の効果】
【００１２】
本考案の振動吸収双効果を備える靴ヒールは、軟質のものと硬質のものをひとつずつ交替に組み合わせることにより、靴ヒールは、変形し難い支持作用と二層の緩衝効果を備えるとともに、振動吸収部は第一時間に地面との安定した接触が行えるため、使用者の歩行における快適感をさらに高める効果を備える。
【図面の簡単な説明】
【００１３】
【図１】本考案第一実施例の立体斜視分解図である。
【図２】本考案第一実施例の結合後の断面図である。
【図３】本考案第二実施例の立体斜視分解図である。
【図４】本考案第二実施例の結合後の断面図である。
【考案を実施するための形態】
【００１４】
次の説明及び図式は本考案の特徴を開示した実施例に基づくものである。これらは本考案の構造技術及び特徴の更なる理解に役立つであろう。
【００１５】
図１及び図２には本考案第一実施例の立体斜視分解図と組立後の断面図を示す。第一実施例において、本考案は、ハイヒールのヒール部分の構造に対する改良を提供し、それは主に、靴ヒール１とトップリフト２の二者によって構成される。
【００１６】
その内、靴ヒール１は予めまず本体（未図示）に結合し、並びに底部に予め少なくとも一つの結合孔１１を設ける。トップリフト２はさらにＴ字形の硬質支持部２１と、硬質支持部２１の外側を包覆する軟質振動吸収部２２とにより構成され、二者を射出成形金型を用いて一体成形し、これにより、硬質支持部２１の四方は軟質振動吸収部２２によって包み込まれる。硬質支持部２１の軸足２１１を靴ヒール１に予め設置した結合孔１１に挿入し固定した後は、断面図に示す通り、底部から上方向に、一層の軟質振動吸収部２２、一層の硬質支持部２１、一層の軟質振動吸収部２２、及び靴ヒール１となる。軟質のものと硬質のものをひとつずつ交替に組み合わせることにより、靴ヒールは、変形し難い支持作用と二層の緩衝効果を備えるとともに、振動吸収部は第一時間に地面との安定した接触が行えるため、使用者の歩行における快適感をさらに高めることができる。
【００１７】
図３及び図４に本考案第二実施例の立体斜視分解図及び組立後の断面図を示す。第二実施例において、本考案は、ローヒールパンプスのヒール部分の構造に対する改良を提供し、それは主に、靴ヒール１とトップリフト２の二者によって構成される。
【００１８】
その内、靴ヒール１は予めまず本体１２に結合し、並びに底部に複数の結合孔１１を設ける。トップリフト２はさらにほぼ楔形をなし複数の軸足２１１を備える硬質支持部２１と、硬質支持部２１の外側を包覆する軟質振動吸収部２２とにより構成され、二者を射出成形金型を用いて一体成形し、これにより、硬質支持部２１は軟質振動吸収部２２によって包み込まれる。硬質支持部２１の軸足２１１を靴ヒール１に予め設置した結合孔１１に挿入し固定した後は、断面図に示す通り、底部から上方向に、一層の軟質振動吸収部２２、一層の硬質支持部２１、一層の軟質振動吸収部２２、及び靴ヒール１となる。その内、軟質振動吸収部２２は強化構造であり、それと靴ヒール１を結合した後の空間内に予め若干の軸状の補強部２２１を設置する。よって、軟質のものと硬質のものをひとつずつ交替に組み合わせることにより、靴ヒールは変形し難い支持作用と二層の緩衝効果を備えるとともに、振動吸収部は第一時間に地面との安定した接触が行えるため、使用者の歩行における快適感をさらに高めることができる。
【００１９】
本考案のトップリフトは、硬質支持部と硬質支持部の外側を包覆する軟質振動吸収部を射出成形金型を用いて一体成形して一つに結合したものである。挟まれた中心に位置する硬質支持部の上下は何れも一層の硬質支持部によって包覆され、軟質のものと硬質のものをひとつずつ交替に組み合わせるため、靴ヒールは二振動吸収の緩衝効果が生まれ、使用者の歩行時の動きに対する要求を満たし、歩く動作或いは立つ動作に必要な快適感を大幅に高めることができる。
【００２０】
前述のとおり、本考案は極めて精巧で簡単な靴ヒール構造によって顕著な振動吸収双効果を生み出す。
【符号の説明】
【００２１】
１            靴ヒール
１１            結合孔
１２            本体
２            トップリフト
２１            硬質支持部
２１１            軸足
２２            軟質振動吸収部
２２１            補強部
【図１】
0003174597.tif 000003
【図２】
0003174597.tif 000004
【図３】
0003174597.tif 000005
【図４】
0003174597.tif 000006